(57)【要約】【課題】ある一の遠隔操作装置が画像処理装置に出力させた加工画像を他の遠隔操作装置において設定された加工条件で再加工し、当該他の遠隔操作装置において再利用させる。【解決手段】複数の遠隔操作装置のそれぞれにより操作される画像処理装置に、第一記憶部と、ある一の遠隔操作装置において、画像処理装置に取得させた出力対象画像を当該一の遠隔操作装置で設定された第一加工条件で加工した第一加工画像を画像処理装置に出力させる画像出力操作が行われた場合に、出力対象画像と第一加工条件とを対応付けて第一記憶部に記憶する記憶制御部と、各遠隔操作装置において第一記憶部に記憶された出力対象画像を表示させるプレビュー操作が行われた場合に、当該出力対象画像を各遠隔操作装置で固有に設定された第二加工条件で加工し、第二加工画像として当該各遠隔操作装置の表示部に表示させる表示制御部とを備える。【選択図】図１
2016032150.tif 000002
【特許請求の範囲】
【請求項１】
複数の遠隔操作装置のそれぞれにより操作される画像処理装置であって、
第一記憶部と、
ある一の前記遠隔操作装置において、前記画像処理装置に取得させた出力対象画像を当該一の遠隔操作装置で設定された第一加工条件で加工した第一加工画像を前記画像処理装置に出力させる画像出力操作が行われた場合に、前記出力対象画像と前記第一加工条件とを対応付けて前記第一記憶部に記憶する記憶制御部と、
各前記遠隔操作装置において、前記第一記憶部に記憶された前記出力対象画像を表示させるプレビュー操作が行われた場合に、当該出力対象画像を各前記遠隔操作装置で固有に設定された第二加工条件で加工し、第二加工画像として当該各遠隔操作装置の表示部に表示させる表示制御部と、
を備える画像処理装置。
【請求項２】
各前記外部操作装置と当該各外部操作装置が所属するグループとが対応付けて記憶されている第二記憶部を更に備え、
前記表示制御部は、前記一の遠隔操作装置と同じ前記グループに対応付けて前記第二記憶部に記憶されている前記遠隔操作装置にのみ、前記第二加工画像を表示させる請求項１に記載の画像処理装置。
【請求項３】
前記表示制御部は、各前記遠隔操作装置において、前記第二加工条件を用いずに前記出力対象画像を表示させるプレビュー操作が行われた場合、前記出力対象画像を、当該出力対象画像と対応付けて前記第一記憶部に記憶されている前記第一加工条件で加工した画像を、前記第二加工画像として当該各遠隔操作装置の表示部に表示させる請求項１又は２に記載の画像処理装置。
【請求項４】
各前記遠隔操作装置において、前記プレビュー操作が行われた結果、前記表示制御部により前記表示部に表示された前記第二加工画像を前記画像処理装置に出力させる再出力実行操作が行われた場合に、当該第二加工画像を出力する画像出力部を更に備える請求項１から３の何れか一項に記載の画像処理装置。
【発明の詳細な説明】
【技術分野】
【０００１】
本発明は、複数の遠隔操作装置のそれぞれにより操作される画像処理装置に関し、特に、過去に出力した加工画像を遠隔操作装置にプレビュー表示させる技術に関する。
【背景技術】
【０００２】
従来から、スマートフォンやタブレット端末等の遠隔操作装置を用いて操作可能な複合機、プリンター、スキャナー等の画像処理装置が知られている。具体的には、画像を印刷出力する、或いは、画像を表す画像データを電子ファイル化して出力する等、画像処理装置に画像を出力させるために、遠隔操作装置では以下に示す操作が行われる。
【０００３】
先ず、画像処理装置に備えられたスキャナーに原稿の画像を読み取らせることを指示する操作や、遠隔操作装置内に記憶されている画像を画像処理装置へ送信する操作等、出力対象の画像を画像処理装置に取得させる操作が行われる。そして、画像処理装置に取得させた出力対象画像の濃度を濃くするか薄くするか、或いは、当該出力対象画像をカラー出力するかモノクロ出力するか等、出力対象画像を加工するための加工条件を設定する操作が行われる。これにより、画像処理装置は、当該設定された加工条件で出力対象画像を加工した加工画像を出力する。
【０００４】
また、例えば下記特許文献１に記載のように、過去に出力した画像データに付加された画像名称を選択可能に表示し、選択された画像名称に対応する画像データを用いて印刷したり、選択された画像名称に対応する画像データが表す画像をプレビュー表示することが可能な画像形成装置が知られている。
【０００５】
これらの従来技術を用いて、過去に出力した加工画像を遠隔操作装置にプレビュー表示し、当該遠隔操作装置のユーザーに当該加工画像を視認させた後、当該遠隔操作装置による操作によって当該加工画像を再印刷できるようにした画像処理装置が知られている。
【先行技術文献】
【特許文献】
【０００６】
【特許文献１】特開２００５−７４６９０号公報
【発明の概要】
【発明が解決しようとする課題】
【０００７】
しかし、上記従来技術を用いた画像処理装置により、遠隔操作装置にプレビュー表示される加工画像は、過去に遠隔操作装置において設定された加工条件で加工された加工画像であった。このため、遠隔操作装置のユーザーは、過去に当該加工画像が加工されるときに用いられた加工条件とは他の加工条件で再加工した画像を視認することはできなかった。つまり、遠隔操作装置のユーザーは、当該遠隔操作装置とは他の遠隔操作装置のユーザーが過去に画像処理装置に出力させた加工画像を、当該遠隔操作装置において設定した加工条件で再加工して再利用することはできなかった。
【０００８】
本発明は、上記の問題を解決するためになされたものであり、複数の遠隔操作装置のそれぞれにより操作される画像処理装置であって、ある一の遠隔操作装置が画像処理装置に出力させた加工画像を、他の遠隔操作装置において設定された加工条件で再加工して、当該他の遠隔操作装置において再利用させることができる画像処理装置を提供することを目的とする。
【課題を解決するための手段】
【０００９】
本発明による画像処理装置は、複数の遠隔操作装置のそれぞれにより操作される画像処理装置であって、第一記憶部と、ある一の前記遠隔操作装置において、前記画像処理装置に取得させた出力対象画像を当該一の遠隔操作装置で設定された第一加工条件で加工した第一加工画像を前記画像処理装置に出力させる画像出力操作が行われた場合に、前記出力対象画像と前記第一加工条件とを対応付けて前記第一記憶部に記憶する記憶制御部と、各前記遠隔操作装置において、前記第一記憶部に記憶された前記出力対象画像を表示させるプレビュー操作が行われた場合に、当該出力対象画像を各前記遠隔操作装置で固有に設定された第二加工条件で加工し、第二加工画像として当該各遠隔操作装置の表示部に表示させる表示制御部と、を備える。
【００１０】
本構成によれば、遠隔操作装置のユーザーは、他の一の遠隔操作装置において設定された第一加工条件とは異なる、当該遠隔操作装置において固有に設定された第二加工条件で加工された第二加工画像を視認することができる。これにより、遠隔操作装置のユーザーは、自身が使用する遠隔操作装置において意図した通りの第二加工条件を設定することにより、他の一の遠隔操作装置のユーザーが画像処理装置に出力させた第一加工画像を、意図した通りに再加工して再利用することができる。
【００１１】
このように、本構成によれば、ある一の遠隔操作装置が画像処理装置に出力させた第一加工画像を、他の遠隔操作装置において設定された第二加工条件で再加工して、当該他の遠隔操作装置において再利用させることができる。
【００１２】
また、各前記外部操作装置と当該各外部操作装置が所属するグループとが対応付けて記憶されている第二記憶部を更に備え、前記表示制御部は、前記一の遠隔操作装置と同じ前記グループに対応付けて前記第二記憶部に記憶されている前記遠隔操作装置にのみ、前記第二加工画像を表示させてもよい。
【００１３】
本構成によれば、ある一の遠隔操作装置によって出力された第一加工画像を再加工した第二加工画像が、当該一の遠隔操作装置とは他のグループに所属する遠隔操作装置や、グループに所属していない遠隔操作装置において視認される虞を低減することができる。これにより、当該第一加工画像を視認して得られる情報が、他のグループに所属する遠隔操作装置のユーザーや、グループに所属していない遠隔操作装置のユーザーに漏洩する虞を低減することができる。
【００１４】
また、前記表示制御部は、各前記遠隔操作装置において、前記第二加工条件を用いずに前記出力対象画像を表示させるプレビュー操作が行われた場合、前記出力対象画像を、当該出力対象画像と対応付けて前記第一記憶部に記憶されている前記第一加工条件で加工した画像を、前記第二加工画像として当該各遠隔操作装置の表示部に表示させてもよい。
【００１５】
本構成によれば、遠隔操作装置のユーザーは、第二加工条件を用いずに出力対象画像を表示させるプレビュー操作を行うことにより、他の遠隔操作装置で設定された第一加工条件と同じ加工条件を当該遠隔操作装置において再設定する手間をかけずに、第一加工画像と同じ画像を視認することができる。
【００１６】
また、各前記遠隔操作装置において、前記プレビュー操作が行われた結果、前記表示制御部により前記表示部に表示された前記第二加工画像を前記画像処理装置に出力させる再出力実行操作が行われた場合に、当該第二加工画像を出力する画像出力部を更に備えてもよい。
【００１７】
本構成によれば、遠隔操作装置のユーザーは、第二加工画像を視認した結果、意図した通りの加工がされていると判断した場合に再出力実行操作を行うことにより、意図した通りの加工がされた第二加工画像を画像処理装置に出力させることができる。
【発明の効果】
【００１８】
この発明によれば、複数の遠隔操作装置のそれぞれにより操作される画像処理装置であって、ある一の遠隔操作装置が画像処理装置に出力させた加工画像を、他の遠隔操作装置において設定された加工条件で再加工して、当該他の遠隔操作装置において再利用させることができる画像処理装置を提供することができる。
【図面の簡単な説明】
【００１９】
【図１】本発明に係る画像処理装置の一実施形態に係る複合機の電気的構成を示すブロック図である。
【図２】画像取得指示画面の一例を示す図である。
【図３】遠隔操作装置において画像出力操作が行われたときの動作を示すフローチャートである。
【図４】画像出力操作画面の一例を示す図である。
【図５】第一記憶部に記憶された情報の一例を示す図である。
【図６】遠隔操作装置において画像再出力操作が行われたときの動作の前半を示すフローチャートである。
【図７】遠隔操作装置において画像再出力操作が行われたときの動作の後半を示すフローチャートである。
【図８】第二記憶部に記憶されている情報の一例を示す図である。
【図９】再出力画像選択画面の一例を示す図である。
【図１０】画像再出力操作画面の一例を示す図である。
【発明を実施するための形態】
【００２０】
以下、本発明に係る画像処理装置の一実施形態を図面に基づいて説明する。尚、本実施形態では、画像処理装置として複合機を例に説明するが、これに限定する趣旨ではなく、画像処理装置は、例えば、ファクシミリ装置、コピー機、スキャナー、又はプリンター等であってもよい。
【００２１】
図１は、本発明に係る画像処理装置の一実施形態に係る複合機１の電気的構成を示すブロック図である。図１に示すように、複合機１は、画像読取部２１と、画像形成部２２と、操作部２３と、第一記憶部２４と、第二記憶部２５と、通信部２６と、制御部１０と、を備えている。また、複合機１は、スマートフォンやタブレット等の複数の遠隔操作装置９のそれぞれにより、遠隔操作可能に構成されている。
【００２２】
画像読取部２１は、ＣＣＤ（Ｃｈａｒｇｅ  Ｃｏｕｐｌｅｄ  Ｄｅｖｉｃｅ）ラインセンサーや露光ランプ等を有する不図示の光学系ユニットを備えている。画像読取部２１は、制御部１０による制御の下、光学系ユニットに原稿の画像を読み取らせ、原稿の画像を表す画像データを生成し、当該画像データを制御部１０へ出力する。
【００２３】
画像形成部２２は、制御部１０による制御の下、制御部１０が生成した加工画像を用紙に形成する。尚、制御部１０には、上述の画像読取部２１により生成された画像データや、後述の通信部２６が外部装置から受信した画像データ等が入力される。また、制御部１０には、操作部２３により入力された加工条件や、後述の通信部２６が外部装置から受信した加工条件等が入力される。制御部１０は、当該入力された画像データを、当該入力された加工条件で加工して、加工画像を生成する。
【００２４】
画像形成部２２は、具体的には、感光体ドラム、感光体ドラムの周面に対向して配設された帯電部、帯電部の下流側であって感光体ドラムの周面に対向して配設された露光部、露光部の下流側であって感光体ドラムの周面に対向して配設された現像部、現像部の下流側であって感光体ドラムの周面に対向して配設されたクリーニング部等を備えた周知の構成を有する。画像形成部２２による、用紙に画像を形成する画像形成動作については、周知であるので、説明を省略する。
【００２５】
操作部２３は、情報を表示するための表示部２３１と、ユーザーに各種操作を行わせるための操作キー部２３２と、を備えている。表示部２３１は、例えばタッチパネル機能を有する液晶ディスプレイ等であり、各種情報を表示する。操作キー部２３２は、例えば、数値や記号を入力するためのテンキーや、表示部２３１に表示されたポインター（カーソル）を移動させるための方向キー等の各種キーを含む。
【００２６】
第一記憶部２４及び第二記憶部２５は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置である。第一記憶部２４には、制御部１０による制御の下、画像データが記憶される。第二記憶部２５には、各遠隔操作装置９を識別するための識別情報と、当該各遠隔操作装置９が所属するグループを識別するための識別情報と、が対応付けて記憶されている。第一記憶部２４に記憶される情報及び第二記憶部２５に記憶されている情報の詳細については後述する。
【００２７】
通信部２６は、遠隔操作装置９や不図示のパソコン等の外部装置と制御部１０との間でＬＡＮ（Ｌｏｃａｌ  Ａｒｅａ  Ｎｅｔｗｏｒｋ）等を介して通信を行うための通信インターフェイス回路である。
【００２８】
制御部１０は、複合機１の各部の動作を制御する。具体的には、制御部１０は、所定の演算処理を実行する不図示のＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ等の不図示の不揮発性メモリーと、データを一時的に記憶するための不図示のＲＡＭ（Ｒａｎｄｏｍ  Ａｃｃｅｓｓ  Ｍｅｍｏｒｙ）と、これらの周辺回路等を備えている。
【００２９】
制御部１０は、不揮発性メモリー等に記憶された制御プログラムをＣＰＵに実行させることにより、例えば、画像出力部１１、記憶制御部１２及び表示制御部１３として動作する。画像出力部１１、記憶制御部１２及び表示制御部１３の詳細については後述する。
【００３０】
遠隔操作装置９は、タッチパネル機能を有する液晶ディスプレイ等で構成された表示部９１を備えている。遠隔操作装置９は、複合機１を操作するための操作画面や、操作画面に各種情報を入力するためのソフトウェアキーボード等を表示部９１に表示する。また、遠隔操作装置９は、ＥＥＰＲＯＭ等の不揮発性メモリーやＲＡＭ等の不図示の記憶部を備えている。
【００３１】
つまり、遠隔操作装置９のユーザーは、表示部９１に表示された操作画面をタッチ操作することにより、操作画面内のボタンを押下したり、操作画面内のラジオボタンを選択する。また、遠隔操作装置９のユーザーは、表示部９１に表示されたソフトウェアキーボードをタッチ操作することにより、操作画面内の入力欄（テキストボックス）に各種情報を入力する。このようにして、遠隔操作装置９のユーザーは、表示部９１に表示された操作画面を用いて、複合機１に実行させる機能の実行指示を入力する。
【００３２】
遠隔操作装置９は、ユーザーにより入力された機能の実行指示を通信部２６を介して制御部１０へ送信する。制御部１０は、遠隔操作装置９から受信した機能の実行指示に従って機能を実行する。このように、遠隔操作装置９は、ユーザーにより入力された機能の実行指示を通信部２６を介して制御部１０へ送信することにより、複合機１を遠隔操作する。
【００３３】
一方、制御部１０は、機能を実行後、当該機能の実行結果に応じて遠隔操作装置９に実行させるべき機能の実行指示を、通信部２６を用いて遠隔操作装置９へ返信する。遠隔操作装置９は、複合機１から返信された機能の実行指示に従って機能を実行する。このように、制御部１０は、通信部２６を用いて、複合機１を遠隔操作した遠隔操作装置９へ機能の実行指示を返信することにより、遠隔操作装置９により行われた遠隔操作の結果に応じて、遠隔操作装置９を動作させる。
【００３４】
以下、遠隔操作装置９において画像出力操作が行われたときの動作について説明する。画像出力操作とは、複合機１に出力対象の画像（以下、出力対象画像と記載する）を取得させ、当該取得させた出力対象画像を遠隔操作装置９で設定された加工条件で加工した加工画像を複合機１に出力させる操作である。当該説明の中で、画像出力部１１、記憶制御部１２、及び表示制御部１３の詳細、及び第一記憶部２４に記憶される情報の詳細について説明する。
【００３５】
先ず、遠隔操作装置９のユーザー（以下、遠隔ユーザーと記載する）が、表示部９１に表示された複合機１を遠隔操作するアプリケーションソフトウェアを起動するためのアイコンをタッチ操作したとする。この場合、遠隔操作装置９は、メニュー画面を表示部９１に表示する。メニュー画面には、複合機１で実行可能な各種機能の名称を示すボタンが選択可能に一覧表示される。
【００３６】
そして、遠隔ユーザーが印刷機能や送信機能等の画像を出力する機能の名称を示すボタンを押下すると、遠隔操作装置９は、タッチ操作された機能の名称を通信部２６を介して制御部１０へ送信後、画像取得指示画面を表示部９１に表示する。尚、制御部１０は、受信した機能の名称をＲＡＭに記憶する。
【００３７】
印刷機能とは、画像形成部２２により画像を用紙に形成させ、当該画像が形成された用紙を出力する機能である。送信機能とは、画像を表す画像データを電子ファイル化し、当該電子ファイルを指定された送信先へ送信する機能である。
【００３８】
画像取得指示画面は、画像取得指示操作を行うための操作画面である。画像取得指示操作とは、出力対象画像を複合機１に取得させる画像取得指示を入力し、当該入力した画像取得指示を通信部２６を介して制御部１０へ送信する操作を示す。
【００３９】
図２は、画像取得指示画面Ｗ１の一例を示す図である。例えば図２に示すように、画像取得指示画面Ｗ１には、二個のラジオボタンＲ１１、Ｒ１２と、電子ファイル名が入力可能なファイル名入力欄（テキストボックス）Ａ１と、ＯＫボタンＫ１１と、キャンセルボタンＫ１２と、が設けられている。
【００４０】
二個のラジオボタンＲ１１、Ｒ１２は、何れか一のラジオボタンだけを選択可能になっている。ラジオボタンＲ１１は、スキャン画像取得指示を入力するために設けられている。ラジオボタンＲ１２は、ファイル名入力欄Ａ１に入力された電子ファイル名に対応する電子ファイルを構成する画像データを含む送信画像取得指示を入力するために設けられている。
【００４１】
ＯＫボタンＫ１１は、ラジオボタンＲ１１又はラジオボタンＲ１２及びファイル名入力欄Ａ１の操作による指示の入力を確定するために設けられている。つまり、遠隔ユーザーによって、ラジオボタンＲ１１が選択された後、ＯＫボタンＫ１１が押下されると、スキャン画像取得指示の入力が確定される。この場合、遠隔操作装置９は、スキャン画像取得指示を通信部２６を介して制御部１０へ送信する。
【００４２】
一方、ラジオボタンＲ１２が選択された場合、遠隔操作装置９は、ソフトウェアキーボードを表示部９１に表示する。そして、遠隔ユーザーによる当該ソフトウェアキーボードのタッチ操作によってファイル名入力欄Ａ１に上記電子ファイル名が入力された後、ＯＫボタンＫ１１が押下されたとする。この場合、ファイル名入力欄Ａ１に入力された電子ファイル名の電子ファイルが示す画像データを含む送信画像取得指示の入力が確定される。この場合、遠隔操作装置９は、当該画像データを上記不図示の記憶部から取得し、当該取得した画像データを含む送信画像取得指示を通信部２６を介して制御部１０へ送信する。
【００４３】
キャンセルボタンＫ１２は、キャンセル操作を行うために設けられている。キャンセル操作とは、表示部９１に表示されている操作画面を非表示にし、当該非表示にした操作画面の前に表示部９１に表示されていた操作画面を再表示する操作を示す。つまり、キャンセルボタンボタンＫ１２が押下されると、遠隔操作装置９は、画像取得指示画面Ｗ１を非表示にし、メニュー画面を表示部９１に再表示する。
【００４４】
このように、画像取得指示操作は、ラジオボタンＲ１１を選択後、ＯＫボタンＫ１１を押下する操作、又は、ラジオボタンＲ１２を選択後、ファイル名入力欄Ａ１に電子ファイル名を入力し、その後ＯＫボタンＫ１１を押下する操作によって行われる。
【００４５】
図３は、遠隔操作装置９において画像出力操作が行われたときの動作を示すフローチャートである。図３に示すように、遠隔ユーザーにより、画像取得指示画面Ｗ１を用いた画像取得指示操作が行われると（Ｓ１）、遠隔操作装置９は、スキャン画像取得指示又は送信画像取得指示の送信後、画像出力操作画面を表示部９１に表示する。
【００４６】
画像出力操作画面は、出力条件設定操作が可能に構成されている。出力条件設定操作とは、出力対象画像を複合機１に出力させるときの出力条件を設定する操作を示す。具体的には、出力条件には、印刷機能による出力対象画像の出力時に用いる印刷条件や、送信機能による出力対象画像の出力時に用いる送信条件や、印刷機能及び送信機能による出力対象画像の出力時に共に用いる、出力対象画像を加工するための加工条件等が含まれる。
【００４７】
例えば、印刷条件には、画像を形成する対象の用紙枚数を指定する部数条件や、用紙の大きさを指定する用紙サイズ条件等が含まれる。送信条件には、出力した電子ファイルの送信先を指定する送信先条件等が含まれる。加工条件には、画像の濃度を調整する濃度調整条件（例えば「濃くする」、「普通」、「薄くする」等）や、画像を出力するときのカラーを指定するカラー指定条件（例えば、「フルカラー」、「グレースケール」、「白黒」等）等が含まれる。
【００４８】
以下の説明では、説明を簡略化するために、加工条件には、濃度調整条件とカラー指定条件の二つの条件のみが含まれるものとする。また、以下の説明では、説明を簡略化するために、画像出力操作画面を用いた出力条件設定操作のうち、加工条件を設定する操作である加工条件設定操作に関連する操作についてのみ詳述する。
【００４９】
図４は、画像出力操作画面Ｗ２の一例を示す図である。例えば、図４に示すように、画像出力操作画面Ｗ２には、二個のドロップダウンリストＤ２１、Ｄ２２と、適用ボタンＫ２１と、実行ボタンＫ２２と、キャンセルボタンＫ２３と、プレビューボタンＫ２４と、が設けられている。
【００５０】
ドロップダウンリストＤ２１は、濃度調整条件を設定するために設けられている。具体的には、ドロップダウンリストＤ２１の右部のボタンＤ２１１がタッチ操作されると、濃度調整条件として設定可能な複数の候補値（例えば、「濃くする」、「普通」、「薄くする」等）が選択可能に表示される。そして、当該表示された複数の候補値のうちの一つが選択されると、当該選択された候補値が入力欄Ｄ２１２に入力される。これにより、濃度調整条件が当該選択された候補値に設定される。例えば、図４に示す具体例では、濃度調整条件が「濃くする」に設定される。
【００５１】
尚、遠隔操作装置９は、画像取得指示操作が行われた直後に（Ｓ１）、画像出力操作画面Ｗ２を表示部９１に表示するときには、入力欄Ｄ２１２に、当該遠隔操作装置９の不図示の記憶部に記憶されている濃度調整条件を入力する。つまり、画像出力操作画面Ｗ２の表示当初は、濃度調整条件が、不図示の記憶部に記憶されている濃度調整条件に設定される。
【００５２】
ドロップダウンリストＤ２２は、カラー指定条件を設定するために設けられている。具体的には、ドロップダウンリストＤ２２の右部のボタンＤ２２１がタッチ操作されると、カラー指定条件として設定可能な複数の候補値（例えば、「フルカラー」、「グレースケール」、「白黒」等）が選択可能に表示される。そして、当該表示された複数の候補値のうちの一つが選択されると、当該選択された候補値がカラー指定条件の入力欄Ｄ２２２に入力される。これにより、カラー指定条件が当該選択された候補値に設定される。例えば、図４に示す具体例では、カラー指定条件が「フルカラー」に設定される。
【００５３】
尚、遠隔操作装置９は、画像取得指示操作が行われた直後に（Ｓ１）、画像出力操作画面Ｗ２を表示部９１に表示するときには、入力欄Ｄ２２２に、当該遠隔操作装置９の不図示の記憶部に記憶されているカラー指定条件を入力する。つまり、画像出力操作画面Ｗ２の表示当初は、カラー指定条件が、不図示の記憶部に記憶されているカラー指定条件に設定される。
【００５４】
このように、加工条件設定操作は、ドロップダウンリストＤ２１及びドロップダウンリストＤ２２の操作によって行われる。また、加工条件設定操作は、ドロップダウンリストＤ２１及びドロップダウンリストＤ２２を操作せず、画像出力操作画面Ｗ２の表示当初に入力欄Ｄ２１２、Ｄ２２２に入力された当該遠隔操作装置９の不図示の記憶部に記憶されている当該遠隔操作装置９固有の加工条件をそのまま変更しないことによって行われる。
【００５５】
以下では、加工条件設定操作により設定された加工条件（本具体例では、濃度調整条件及びカラー指定条件）を第一加工条件と記載する。
【００５６】
適用ボタンＫ２１は、不図示の記憶部に記憶されている加工条件を更新するために設けられている。具体的には、適用ボタンＫ２１が押下されると、遠隔操作装置９は、不図示の記憶部に記憶されている濃度調整条件及びカラー指定条件を、入力欄Ｄ２１２に入力された濃度調整条件及び入力欄Ｄ２２２に入力されたカラー指定条件によって更新する。このようにして、遠隔操作装置９の不図示の記憶部には、当該遠隔操作装置９固有の加工条件が記憶される。
【００５７】
実行ボタンＫ２２は、出力実行操作を行うために設けられている。出力実行操作とは、出力実行指示を通信部２６を介して制御部１０へ送信する操作を示す。出力実行指示とは、複合機１に、第一加工条件で出力対象画像を加工させ、当該加工後の加工画像である第一加工画像を複合機１に出力させる指示を示す。
【００５８】
つまり、実行ボタンＫ２２が押下されると、遠隔操作装置９は、第一加工条件を含む出力実行指示を通信部２６を介して制御部１０へ送信する。
【００５９】
キャンセルボタンＫ２３は、画像取得指示画面Ｗ１のキャンセルボタンＫ１２と同様に、キャンセル操作を行うために設けられている。つまり、キャンセルボタンＫ２３が押下されると、遠隔操作装置９は、画像出力操作画面Ｗ２を非表示にし、画像取得指示画面Ｗ１を表示部９１に再表示する。
【００６０】
プレビューボタンＫ２４は、出力前プレビュー操作を行うために設けられている。出力前プレビュー操作とは、出力前プレビュー実行指示を通信部２６を介して制御部１０へ送信する操作を示す。出力前プレビュー実行指示とは、複合機１に、第一加工条件で出力対象画像を加工させた後、当該加工後の第一加工画像を含む出力前プレビュー表示指示を返信させる指示を示す。出力前プレビュー表示指示とは、当該出力前プレビュー表示指示に含まれる第一加工画像を遠隔操作装置９の表示部９１に表示させる指示を示す。
【００６１】
つまり、プレビューボタンＫ２４が押下されると、遠隔操作装置９は、第一加工条件を含む出力前プレビュー実行指示を、通信部２６を介して制御部１０へ送信する。その結果、遠隔操作装置９に第一加工画像を含む出力前プレビュー表示指示が返信されると、遠隔操作装置９は、第一加工画像を表示部９１に表示する。
【００６２】
尚、画像出力操作画面Ｗ２には、印刷条件や送信条件等の出力条件を設定するための不図示のドロップダウンリストが設けられている。つまり、上記加工条件設定操作と同様にして、当該ドロップダウンリストの操作によって印刷条件や送信条件等の出力条件が設定される。実行ボタンＫ２２の押下時には、遠隔操作装置９は、上記出力実行指示に当該ドロップダウンリストの操作により設定された印刷条件や送信条件等の出力条件も含めて、通信部２６を介して制御部１０へ送信する。
【００６３】
図３に参照を戻す。表示部９１に画像出力操作画面Ｗ２が表示され、遠隔ユーザーにより、加工条件設定操作が行われたとする（Ｓ２）。更に、遠隔ユーザーにより、出力前プレビュー操作が行われたとする（Ｓ３；ＹＥＳ）。
【００６４】
この場合、表示制御部１３は、ステップＳ１の画像取得指示操作が行われた場合に受信した画像取得指示に従って出力対象画像を取得する。また、表示制御部１３は、ステップＳ３の出力前プレビュー操作が行われた場合に受信した出力前プレビュー実行指示に含まれる第一加工条件を取得する（Ｓ４）。
【００６５】
ステップＳ４において、表示制御部１３は、以下のようにして、画像取得指示に従って出力対象画像を取得する。表示制御部１３は、受信した画像取得指示がスキャン画像取得指示である場合、画像読取部２１に原稿の画像を読み取らせ、画像読取部２１により生成された画像データが表す画像を出力対象画像として取得する。一方、表示制御部１３は、受信した画像取得指示が送信画像取得指示である場合、当該送信画像取得指示に含まれる画像データが表す画像を出力対象画像として取得する。
【００６６】
そして、表示制御部１３は、ステップＳ４において取得した出力対象画像を、ステップＳ４において取得した第一加工条件で加工した第一加工画像を生成する（Ｓ５）。
【００６７】
そして、表示制御部１３は、ステップＳ３の出力前プレビュー操作が行われた場合に受信した出力前プレビュー実行指示に従って、ステップＳ５で生成した第一加工画像を表す画像データを含む出力前プレビュー表示指示を返信する（Ｓ６）。
【００６８】
遠隔操作装置９は、出力前プレビュー表示指示を受信すると、当該出力前プレビュー表示指示に含まれる画像データが表す第一加工画像を、画像出力操作画面Ｗ２に重ねるようにして表示部９１に表示する。尚、遠隔操作装置９は、第一加工画像を表示部９１に表示する場合に、当該第一加工画像を非表示にするための閉じるボタンを合わせて表示する。
【００６９】
そして、遠隔ユーザーが、表示部９１に表示された第一加工画像を視認した結果、意図した通りに出力対象画像が加工されていないと判断し、当該第一加工画像と合わせて表示された閉じるボタンを押下したとする（Ｓ７；閉じるボタン押下）。この場合、ステップＳ２に戻り、遠隔ユーザーによって画像出力操作画面Ｗ２を用いた加工条件設定操作が行われる。
【００７０】
一方、遠隔ユーザーが、表示部９１に表示された第一加工画像を視認した結果、意図した通りの出力対象画像が加工されていないと判断し、キャンセルボタンＫ２３を押下してキャンセル操作を行ったとする（Ｓ７；キャンセル操作）。この場合、遠隔操作装置９は、画像出力操作画面Ｗ２を非表示にさせ、画像取得指示画面Ｗ１を表示部９１に再表示させる。つまり、ステップＳ１に戻り、遠隔ユーザーによって画像取得指示画面Ｗ１を用いた画像取得指示操作が行われる。
【００７１】
また、遠隔ユーザーが、表示部９１に表示された第一加工画像を視認した結果、意図した通りに出力対象画像が加工されていると判断し、実行ボタンＫ２２を押下して出力実行操作を行ったとする（Ｓ７；出力実行操作）。又は、遠隔ユーザーが、画像出力操作画面Ｗ２において出力前プレビュー操作を行わずに（Ｓ３；ＮＯ）、実行ボタンＫ２２を押下して出力実行操作を行ったとする（Ｓ７；出力実行操作）。
【００７２】
これらの場合、画像出力部１１は、ステップＳ４と同様にして、ステップＳ１の画像取得指示操作が行われた場合に受信した画像取得指示に従って出力対象画像を取得する。また、画像出力部１１は、ステップＳ７の出力実行操作が行われた場合に受信した出力実行指示に含まれる第一加工条件を取得する（Ｓ８）。
【００７３】
そして、画像出力部１１は、ステップＳ８において取得した出力対象画像を、ステップＳ８において取得した第一加工条件で加工した第一加工画像を生成する（Ｓ９）。
【００７４】
そして、画像出力部１１は、第一加工画像を出力する（Ｓ１０）。
【００７５】
具体的には、ＲＡＭに記憶されている、遠隔ユーザーによりメニュー画面においてタッチ操作された機能の名称が印刷機能であるとする。この場合、ステップＳ１０において、画像出力部１１は、ステップＳ７の出力実行操作が行われた場合に受信した出力実行指示に含まれる印刷条件を取得する。そして、画像出力部１１は、画像形成部２２を制御して、当該取得した印刷条件を用いて第一加工画像を用紙に形成させる。
【００７６】
また、ＲＡＭに記憶されている、上記機能の名称が送信機能であるとする。この場合、ステップＳ１０において、画像出力部１１は、ステップＳ７の出力実行操作が行われた場合に受信した出力実行指示に含まれる送信条件を取得する。そして、画像出力部１１は、第一加工画像を表す画像データを電子ファイル化し、当該取得した送信条件によって指定された送信先へ当該電子ファイルを送信する。
【００７７】
画像出力部１１により第一加工画像が出力されると（Ｓ１０）、記憶制御部１２は、ステップＳ８において画像出力部１１により取得された出力対象画像と、ステップＳ８において画像出力部１１により取得された第一加工条件と、遠隔操作装置９の識別情報と、を対応付けて、第一記憶部２４に記憶する（Ｓ１１）。
【００７８】
尚、ステップＳ１１において、記憶制御部１２は、出力対象画像を表す画像データを電子ファイル化し、当該電子ファイル（以下、出力対象画像ファイルと記載する）のファイル名（以下、出力対象画像ファイル名と記載する）と、当該電子ファイルが示す出力対象画像を表す画像データ（バイナリデータ）と、を対応付けて第一記憶部２４に記憶することによって、出力対象画像を第一記憶部２４に記憶する。
【００７９】
つまり、ステップＳ１１において、記憶制御部１２は、出力対象画像ファイル名と、出力対象画像を表す画像データ（バイナリデータ）と、第一加工条件と、遠隔操作装置９の識別情報と、を対応付けて、第一記憶部２４に記憶する。
【００８０】
遠隔操作装置９の識別情報は、遠隔操作装置９を識別するための情報であり、例えば遠隔操作装置９から受信した各指示を示すデータパケットに含まれている、当該データパケットの送信元のＩＰアドレスである。
【００８１】
ただし、これに限らず、遠隔操作装置９が、各指示を通信部２６を介して制御部１０へ出力する場合に、当該各指示に当該遠隔操作装置９のマシン名やＩＰアドレス等の当該遠隔操作装置９の識別情報を含めて送信してもよい。この場合、記憶制御部１２は、ステップＳ７の出力実行操作が行われた場合に受信した出力実行指示に含まれる当該識別情報を取得し、当該取得した識別情報を、出力対象画像ファイル名等に対応付けて第一記憶部２４に記憶する。
【００８２】
図５は、第一記憶部２４に記憶された情報の一例を示す図である。例えば、ＩＰアドレスが「ｘｘｘ．ｘｘｘ．ｘｘｘ．ｘｘ１」の遠隔操作装置９において画像取得指示操作が行われ（Ｓ１）、電子ファイル名「Ｉｍａｇｅ１．ｂｍｐ」の電子ファイルが示す画像データを含む送信画像取得指示が制御部１０へ送信されたとする。また、当該遠隔操作装置９において加工条件設定操作が行われた後（Ｓ２）、出力実行操作が行われ（Ｓ７；出力実行操作）、第一加工条件「濃くする、フルカラー」を含む画像取得指示が制御部１０へ送信されたとする。
【００８３】
この場合、ステップＳ１１において、記憶制御部１２は、図５に示すように、出力対象画像ファイル名「Ｉｍａｇｅ１．ｂｍｐ」と、当該出力対象画像ファイル名「Ｉｍａｇｅ１．ｂｍｐ」の出力対象画像ファイルが示す出力対象画像の画像データと、第一加工条件「濃くする、フルカラー」と、遠隔操作装置９の識別情報としてのＩＰアドレス「ｘｘｘ．ｘｘｘ．ｘｘｘ．ｘｘ１」と、を対応付けて第一記憶部２４に記憶する。
【００８４】
次に、遠隔操作装置９において画像再出力操作が行われたときの動作について説明する。画像再出力操作とは、複合機１に、第一記憶部２４に記憶されている出力対象画像ファイル名に対応付けられた出力対象画像の画像データを取得させ、当該画像データが表す出力対象画像（以下、再出力画像と記載する）を、当該再出力画像と対応付けて第一記憶部２４に記憶されている第一加工条件、又は、遠隔操作装置９で再設定された加工条件で加工した加工画像を複合機１に出力させる操作である。当該説明の中で、第二記憶部２５に記憶されている情報の詳細について説明する。図６及び図７は、遠隔操作装置９において画像再出力操作が行われたときの動作を示すフローチャートである。
【００８５】
上述のように、遠隔ユーザーが、表示部９１に表示された複合機１を遠隔操作するアプリケーションソフトウェアを起動するためのアイコンをタッチ操作した場合、遠隔操作装置９は、メニュー画面を表示部９１に表示する。
【００８６】
そして、図６に示すように、遠隔ユーザーが、メニュー画面に選択可能に表示された再印刷機能や再送信機能等、画像を再出力する機能の名称を示すボタンを押下したとする（Ｓ２１）。
【００８７】
この場合、遠隔操作装置９は、ステップＳ２１で押下された機能の名称を含む再出力画像取得指示を通信部２６を介して制御部１０へ送信する。表示制御部１３は、当該再出力画像取得指示を受信すると、当該再出力画像取得指示に含まれる機能の名称をＲＡＭに記憶する。また、表示制御部１３は、当該再出力画像取得指示を示すデータパケットに含まれる、当該データパケットの送信元のＩＰアドレス情報を遠隔操作装置９の識別情報として取得する。そして、表示制御部１３は、当該取得した識別情報により識別される遠隔操作装置９がグループに所属しているか否かを判定する（Ｓ２２）。
【００８８】
具体的には、表示制御部１３は、第二記憶部２５に記憶されている情報を用いてステップＳ２２の判定を行う。上述のように、第二記憶部２５には、遠隔操作装置９の識別情報と、当該遠隔操作装置９が所属するグループの識別情報とが対応付けて記憶されている。図８は、第二記憶部２５に記憶されている情報の一例を示す図である。
【００８９】
例えば、図８に示すように、遠隔操作装置９の識別情報「ｘｘｘ．ｘｘｘ．ｘｘｘ．ｘｘ１」と、当該遠隔操作装置９が所属するグループの識別情報Ｇ１とが対応付けて記憶されている。また、遠隔操作装置９の識別情報「ｘｘｘ．ｘｘｘ．ｘｘｘ．ｘｘ２」と、当該遠隔操作装置９が所属するグループの識別情報Ｇ１とが対応付けて記憶されている。つまり、識別情報「ｘｘｘ．ｘｘｘ．ｘｘｘ．ｘｘ１」及び識別情報「ｘｘｘ．ｘｘｘ．ｘｘｘ．ｘｘ２」により識別される二つの遠隔操作装置９は、共に、識別情報Ｇ１で識別されるグループに所属する。
【００９０】
また、遠隔操作装置９の識別情報「ｘｘｘ．ｘｘｘ．ｘｘｘ．ｘｘ３」と、当該遠隔操作装置９が所属するグループの識別情報Ｇ２とが対応付けて記憶されている。つまり、識別情報「ｘｘｘ．ｘｘｘ．ｘｘｘ．ｘｘ３」により識別される遠隔操作装置９は、識別情報「ｘｘｘ．ｘｘｘ．ｘｘｘ．ｘｘ１」及び識別情報「ｘｘｘ．ｘｘｘ．ｘｘｘ．ｘｘ２」により識別される二つの遠隔操作装置９が所属するグループ（識別情報Ｇ１で識別されるグループ）とは異なる、識別情報Ｇ２で識別されるグループに所属する。
【００９１】
尚、例えば、遠隔操作装置９の識別情報「ｘｘｘ．ｘｘｘ．ｘｘｘ．ｘｘ４」は、第二記憶部２５に記憶されていない。つまり、識別情報「ｘｘｘ．ｘｘｘ．ｘｘｘ．ｘｘ４」により識別される遠隔操作装置９は、どのグループにも所属していない。
【００９２】
つまり、表示制御部１３は、ステップＳ２２において、取得した遠隔操作装置９の識別情報が第二記憶部２５に記憶されているか否かによって、上記取得した識別情報により識別される遠隔操作装置９が、グループに所属しているか否かを判定する。
【００９３】
表示制御部１３は、ステップＳ２２において、遠隔操作装置９がグループに所属していると判定した場合（Ｓ２２；ＹＥＳ）、当該遠隔操作装置９が所属するグループと同じグループに所属する遠隔操作装置９の識別情報と対応付けて第一記憶部２４に記憶されている出力対象画像ファイル名を取得する。そして、表示制御部１３は、選択画面表示指示に、当該取得した出力対象画像ファイル名を含めて、当該遠隔操作装置９へ返信する（Ｓ２３）。
【００９４】
選択画面表示指示とは、当該選択画面表示指示に含まれる出力対象画像ファイル名が選択可能に表示された再出力画像選択画面を遠隔操作装置９の表示部９１に表示させる指示を示す。つまり、ステップＳ２３が行われた場合、遠隔操作装置９は、受信した選択画面表示指示に含まれる出力対象画像ファイル名が選択可能に表示された再出力画像選択画面を表示部９１に表示する。
【００９５】
一方、表示制御部１３は、ステップＳ２２において、遠隔操作装置９がグループに所属していないと判定した場合（Ｓ２２；ＮＯ）、当該遠隔操作装置９の識別情報と対応付けて第一記憶部２４に記憶されている出力対象画像ファイル名を取得する。そして、表示制御部１３は、選択画面表示指示に、当該取得した出力対象画像ファイル名を含めて、遠隔操作装置９へ返信する（Ｓ２４）。
【００９６】
つまり、ステップＳ２４が行われた場合も、遠隔操作装置９は、受信した選択画面表示指示に含まれる出力対象画像ファイル名が選択可能に表示された再出力画像選択画面を表示部９１に表示する。
【００９７】
以下、ステップＳ２２、ステップＳ２３及びステップＳ２４の具体例について説明する。例えば、表示制御部１３が、ステップＳ２２において取得した遠隔操作装置９の識別情報が、第二記憶部２５に記憶されている遠隔操作装置９の識別情報「ｘｘｘ．ｘｘｘ．ｘｘｘ．ｘｘ１」（図８）であったとする。また、第一記憶部２４には、図５に示すように情報が記憶されているものとする。
【００９８】
この場合、ステップＳ２２において、表示制御部１３は、取得した遠隔操作装置９の識別情報「ｘｘｘ．ｘｘｘ．ｘｘｘ．ｘｘ１」が第二記憶部２５に記憶されているので、当該遠隔操作装置９がグループに所属していると判定する（Ｓ２２；ＹＥＳ）。
【００９９】
この場合、ステップＳ２３において、表示制御部１３は、当該遠隔操作装置９が所属するグループの識別情報Ｇ１と対応付けて第二記憶部２５に記憶されている二つの遠隔操作装置９の識別情報「ｘｘｘ．ｘｘｘ．ｘｘｘ．ｘｘ１」「ｘｘｘ．ｘｘｘ．ｘｘｘ．ｘｘ２」（図８）を取得する。このようにして、表示制御部１３は、当該遠隔操作装置９が所属するグループに所属する二つの遠隔操作装置９の識別情報を取得する。
【０１００】
表示制御部１３は、上記取得した二つの遠隔操作装置９の識別情報のそれぞれに対応付けて第一記憶部２４に記憶されている二つの出力対象画像ファイル名「Ｉｍａｇｅ１．ｂｍｐ」「Ｉｍａｇｅ２．ｂｍｐ」（図５）を取得する。そして、表示制御部１３は、選択画面表示指示に、当該取得した二つの出力対象画像ファイル名「Ｉｍａｇｅ１．ｂｍｐ」「Ｉｍａｇｅ２．ｂｍｐ」を含めて、遠隔操作装置９へ返信する。
【０１０１】
図９は、再出力画像選択画面Ｗ３の一例を示す図である。ステップＳ２３が行われると、遠隔操作装置９は、図９に示すように、受信した選択画面表示指示に含まれる二つの出力対象画像ファイル名「Ｉｍａｇｅ１．ｂｍｐ」「Ｉｍａｇｅ２．ｂｍｐ」が選択可能に表示された再出力画像選択画面Ｗ３を表示部９１に表示する。尚、再出力画像選択画面Ｗ３の詳細については後述する。
【０１０２】
一方、表示制御部１３が、ステップＳ２２において取得した遠隔操作装置９の識別情報が、第二記憶部２５に記憶されていない識別情報「ｘｘｘ．ｘｘｘ．ｘｘｘ．ｘｘ４」であったとする。また、第一記憶部２４には、図５に示すように情報が記憶されているものとする。
【０１０３】
この場合、ステップＳ２２において、表示制御部１３は、取得した遠隔操作装置９の識別情報「ｘｘｘ．ｘｘｘ．ｘｘｘ．ｘｘ４」が第二記憶部２５に記憶されていないので、当該遠隔操作装置９がグループに所属していないと判定する（Ｓ２２；ＮＯ）。
【０１０４】
この場合、ステップＳ２４において、表示制御部１３は、ステップＳ２２において取得した遠隔操作装置９の識別情報と対応付けて第一記憶部２４に記憶されている出力対象画像ファイル名「Ｉｍａｇｅ４．ｂｍｐ」（図５）を取得する。そして、表示制御部１３は、選択画面表示指示に、当該取得した出力対象画像ファイル名「Ｉｍａｇｅ４．ｂｍｐ」を含めて、遠隔操作装置９へ返信する。
【０１０５】
その結果、遠隔操作装置９は、図９に示す再出力画像選択画面Ｗ３と同様の、受信した選択画面表示指示に含まれる出力対象画像ファイル名「Ｉｍａｇｅ４．ｂｍｐ」のみが選択可能に表示された再出力画像選択画面を表示部９１に表示する。
【０１０６】
図６に参照を戻す。遠隔ユーザーは、ステップＳ２３又はステップＳ２４が実行された後に、表示部９１に表示された再出力画像選択画面を用いて再出力画像取得指示操作を行う（Ｓ２５）。
【０１０７】
再出力画像取得指示操作とは、再出力画像選択画面に表示された出力対象画像ファイル名の中から、複合機１に再出力させる対象の出力対象画像に対応する出力対象画像ファイル名を選択し、当該選択した出力対象画像ファイル名に対応する出力対象画像を複合機１に取得させる再出力画像取得指示を通信部２６を介して制御部１０へ送信する操作を示す。
【０１０８】
以下、ステップＳ２５における再出力画像取得指示操作の詳細について、上述の再出力画像選択画面Ｗ３（図９）を用いて説明する。
【０１０９】
図９に示すように、再出力画像選択画面Ｗ３には、二個のラジオボタンＲ３１、Ｒ３２と、選択画面表示指示に含まれていた二つの出力対象画像ファイル名をそれぞれ表示するファイル名表示欄（テキストラベル）Ｆ１、Ｆ２と、ＯＫボタンＫ３１と、キャンセルボタンＫ３２と、が設けられている。
【０１１０】
二個のラジオボタンＲ３１、Ｒ３２は、何れか一のラジオボタンだけを選択可能になっている。ラジオボタンＲ３１は、当該ラジオボタンＲ３１に隣接するファイル名表示欄Ｆ１に表示されている出力対象画像ファイル名「Ｉｍａｇｅ１．ｂｍｐ」を選択するために設けられている。同様に、ラジオボタンＲ３２は、当該ラジオボタンＲ３２に隣接するファイル名表示欄Ｆ２に表示されている出力対象画像ファイル名「Ｉｍａｇｅ２．ｂｍｐ」を選択するために設けられている。
【０１１１】
ＯＫボタンＫ３１は、ラジオボタンＲ３１又はラジオボタンＲ３２の操作により選択された出力対象画像ファイル名に対応する出力対象画像を複合機１に取得させる再出力画像取得指示を、通信部２６を介して制御部１０へ送信する操作を行うために設けられている。
【０１１２】
例えば、遠隔ユーザーによるタッチ操作によって、ラジオボタンＲ３１が選択された後、ＯＫボタンＫ３１が押下されたとする。この場合、遠隔操作装置９は、ファイル名表示欄Ｆ１に表示されている出力対象画像ファイル名「Ｉｍａｇｅ１．ｂｍｐ」に対応する出力対象画像を複合機１に取得させる再出力画像取得指示を通信部２６を介して制御部１０へ送信する。
【０１１３】
キャンセルボタンＫ３２は、画像取得指示画面Ｗ１のキャンセルボタンＫ１２と同様に、キャンセル操作を行うために設けられている。つまり、キャンセルボタンＫ３２が押下されると、遠隔操作装置９は、再出力画像選択画面Ｗ３を非表示にし、メニュー画面を表示部９１に再表示する。
【０１１４】
このように、再出力画像取得指示操作は、ラジオボタンＲ３１を選択後、ＯＫボタンＫ３１を押下する操作、又は、ラジオボタンＲ３２を選択後、ＯＫボタンＫ３１を押下する操作によって行われる。
【０１１５】
図６に参照を戻す。遠隔ユーザーにより、再出力画像選択画面Ｗ３を用いた再出力画像取得指示操作が行われると（Ｓ２５）、遠隔操作装置９は、再出力画像取得指示の送信後、画像再出力操作画面を表示部９１に表示する。
【０１１６】
画像再出力操作画面は、加工条件強制設定操作及び加工条件再設定操作が可能に構成されている。加工条件強制設定操作とは、加工条件強制設定情報を遠隔操作装置９内の不図示の記憶部に記憶する操作を示す。加工条件強制設定情報とは、再出力画像を複合機１に再出力させるときの加工条件を当該再出力画像と対応付けて第一記憶部２４に記憶されている第一加工条件に設定させることを示す情報である。加工条件再設定操作とは、再出力画像を複合機１に出力させるときの加工条件を再設定する操作を示す。
【０１１７】
尚、以下の説明では、説明を簡略化するために、加工条件には、濃度調整条件とカラー指定条件の二つの条件のみが含まれるものとする。
【０１１８】
図１０は、画像再出力操作画面Ｗ４の一例を示す図である。例えば、図１０に示すように、画像再出力操作画面Ｗ４には、二個のラジオボタンＲ４１、Ｒ４２と、二個のドロップダウンリストＤ４１、Ｄ４２と、適用ボタンＫ４１と、実行ボタンＫ４２と、キャンセルボタンＫ４３と、プレビューボタンＫ４４と、が設けられている。
【０１１９】
二個のラジオボタンＲ４１、Ｒ４２は、何れか一のラジオボタンだけを選択可能になっている。ラジオボタンＲ４１は、二個のドロップダウンリストＤ４１、Ｄ４２及び適用ボタンＫ４１の遠隔ユーザーによる操作を不可能にして、上記の加工条件強制設定操作を行うために設けられている。
【０１２０】
つまり、遠隔ユーザーは、ラジオボタンＲ４１を選択すると、二個のドロップダウンリストＤ４１、Ｄ４２及び適用ボタンＫ４１を操作できなくなる。また、遠隔ユーザーがラジオボタンＲ４１を選択すると、上記の加工条件強制設定操作が行われたこととなり、加工条件強制設定情報が遠隔操作装置９内の不図示の記憶部に記憶される。
【０１２１】
ラジオボタンＲ４２は、二個のドロップダウンリストＤ４１、Ｄ４２及び適用ボタンＫ４１の遠隔ユーザーによる操作を可能にし、不図示の記憶部に記憶されている加工条件強制設定情報を削除するために設けられている。つまり、遠隔ユーザーは、ラジオボタンＲ４２を選択することによって、二個のドロップダウンリストＤ４１、Ｄ４２及び適用ボタンＫ４１を操作可能となる。また、遠隔ユーザーがラジオボタンＲ４２を選択すると、遠隔操作装置９は、不図示の記憶部に記憶されている加工条件強制設定情報を削除する。
【０１２２】
ドロップダウンリストＤ４１は、画像出力操作画面Ｗ２のドロップダウンリストＤ２１と同様にして、再出力画像を出力するときの濃度調整条件を再設定するために設けられている。具体的には、ドロップダウンリストＤ４１の右部のボタンＤ４１１がタッチ操作されると、濃度調整条件として設定可能な複数の候補値（例えば、「濃くする」、「普通」、「薄くする」等）が選択可能に表示される。そして、当該表示された複数の候補値のうちの一つが選択されると、当該選択された候補値が入力欄Ｄ４１２に入力される。これにより、再出力画像を出力するときの濃度調整条件が当該選択された候補値に再設定される。例えば、図１０では、濃度調整条件が「薄くする」に再設定されている。
【０１２３】
尚、遠隔操作装置９は、再出力画像取得操作が行われた直後に（Ｓ２５）、画像再出力操作画面Ｗ４を表示部９１に表示した後、最初にラジオボタンＲ４２が選択されたときには、入力欄Ｄ４１２に、当該遠隔操作装置９の不図示の記憶部に記憶されている濃度調整条件を入力する。つまり、画像再出力操作画面Ｗ４の表示当初に、最初にラジオボタンＲ４２が選択されたときには、濃度調整条件が、不図示の記憶部に記憶されている濃度調整条件に再設定される。
【０１２４】
ドロップダウンリストＤ４２は、画像出力操作画面Ｗ２のドロップダウンリストＤ２２と同様にして、再出力画像を出力するときのカラー指定条件を再設定するために設けられている。具体的には、ドロップダウンリストＤ４２の右部のボタンＤ４２１がタッチ操作されると、カラー指定条件として設定可能な複数の候補値（例えば、「フルカラー」、「グレースケール」、「白黒」等）が選択可能に表示される。そして、当該表示された複数の候補値のうちの一つが選択されると、当該選択された候補値がカラー指定条件の入力欄Ｄ４２２に入力される。これにより、再出力画像を出力するときのカラー指定条件が当該選択された候補値に再設定される。例えば、図１０では、カラー指定条件が「白黒」に再設定されている。
【０１２５】
尚、遠隔操作装置９は、再出力画像取得操作が行われた直後に（Ｓ２５）、画像再出力操作画面Ｗ４を表示部９１に表示した後、最初にラジオボタンＲ４２が選択されたときには、入力欄Ｄ４２２に、当該遠隔操作装置９の不図示の記憶部に記憶されているカラー指定条件を入力する。つまり、画像再出力操作画面Ｗ４の表示当初に、最初にラジオボタンＲ４２が選択されたときには、カラー指定条件が、不図示の記憶部に記憶されているカラー指定条件に再設定される。
【０１２６】
このように、加工条件再設定操作は、ラジオボタンＲ４２を選択し、ドロップダウンリストＤ４１及びドロップダウンリストＤ４２を操作することによって行われる。また、加工条件再設定操作は、画像再出力操作画面Ｗ４の表示当初に、最初にラジオボタンＲ４２を選択し、ドロップダウンリストＤ４１及びドロップダウンリストＤ４２を操作せず、入力欄Ｄ４１２、Ｄ４２２に入力された当該遠隔操作装置９の不図示の記憶部に記憶されている当該遠隔操作装置９固有の加工条件をそのまま変更しないことによって行われる。
【０１２７】
以下では、加工条件再設定操作により設定された加工条件（本具体例では、濃度調整条件及びカラー指定条件）を第二加工条件と記載する。
【０１２８】
適用ボタンＫ４１は、画像出力操作画面Ｗ２の適用ボタンＫ４１と同様に、不図示の記憶部に記憶されている加工条件を更新するために設けられている。具体的には、適用ボタンＫ４１が押下されると、遠隔操作装置９は、不図示の記憶部に記憶されている濃度調整条件及びカラー指定条件を、入力欄Ｄ４１２に入力された濃度調整条件及び入力欄Ｄ４２２に入力されたカラー指定条件によって更新する。このようにして、遠隔操作装置９の不図示の記憶部には、当該遠隔操作装置９固有の加工条件が記憶される。
【０１２９】
実行ボタンＫ４２は、再出力実行操作を行うために設けられている。再出力実行操作とは、再出力実行指示を通信部２６を介して制御部１０へ送信する操作を示す。再出力実行指示とは、複合機１に、再出力画像と対応付けて第一記憶部２４に記憶されている第一加工条件で当該再出力画像を加工させ、又は、加工条件再設定操作により設定された第二加工条件で、再出力画像を加工させ、当該加工後の加工画像を第二加工画像として、当該第二加工画像を複合機１に出力させる指示を示す。
【０１３０】
具体的には、ラジオボタンＲ４１を選択する加工条件強制設定操作が行われた後、実行ボタンＫ４２が押下されると、遠隔操作装置９は、不図示の記憶部に記憶されている加工条件強制設定情報を含む再出力実行指示を通信部２６を介して制御部１０へ送信する。一方、加工条件再設定操作が行われた後、実行ボタンＫ４２が押下されると、遠隔操作装置９は、加工条件再設定操作により設定された第二加工条件を含む再出力実行指示を通信部２６を介して制御部１０へ送信する。
【０１３１】
キャンセルボタンＫ４３は、画像取得指示画面Ｗ１のキャンセルボタンＫ１２と同様に、キャンセル操作を行うために設けられている。つまり、キャンセルボタンＫ４３が押下されると、遠隔操作装置９は、画像再出力操作画面Ｗ４を非表示にし、再出力画像選択画面Ｗ３を表示部９１に再表示する。
【０１３２】
プレビューボタンＫ４４は、出力後プレビュー操作（プレビュー操作）を行うために設けられている。出力後プレビュー操作とは、出力後プレビュー実行指示を通信部２６を介して制御部１０へ送信する操作を示す。出力後プレビュー実行指示とは、複合機１に、再出力画像と対応付けて第一記憶部２４に記憶されている第一加工条件で当該再出力画像を加工させ、又は、第二加工条件で再出力画像を加工させ、当該加工後の加工画像を第二加工画像として、当該第二加工画像を含む出力後プレビュー表示指示を返信させる指示を示す。出力後プレビュー表示指示とは、当該出力後プレビュー表示指示に含まれる第二加工画像を遠隔操作装置９の表示部９１に表示させる指示を示す。
【０１３３】
つまり、ラジオボタンＲ４１を選択する加工条件強制設定操作が行われた後、プレビューボタンＫ４４が押下されると、遠隔操作装置９は、不図示の記憶部に記憶されている加工条件強制設定情報を含む出力後プレビュー実行指示を、通信部２６を介して制御部１０へ送信する。一方、加工条件再設定操作が行われた後、プレビューボタンＫ４４が押下されると、遠隔操作装置９は、加工条件再設定操作により設定された第二加工条件を含む出力後プレビュー実行指示を、通信部２６を介して制御部１０へ送信する。その結果、遠隔操作装置９に第二加工画像を含む出力後プレビュー表示指示が返信されると、遠隔操作装置９は、第二加工画像を表示部９１に表示する。
【０１３４】
尚、画像再出力操作画面Ｗ４には、再出力画像を出力するときの印刷条件や送信条件等の出力条件を再設定するための不図示のドロップダウンリストが設けられている。当該ドロップダウンリストは、ラジオボタンＲ４１が選択されている場合も操作可能となっている。つまり、当該ドロップダウンリストの操作によって印刷条件や送信条件等の出力条件が再設定される。実行ボタンＫ４２の押下時には、遠隔操作装置９は、上記再出力実行指示に当該ドロップダウンリストの操作により設定された印刷条件や送信条件等の出力条件も含めて、通信部２６を介して制御部１０へ送信する。
【０１３５】
図６に参照を戻す。表示部９１に画像再出力操作画面Ｗ４が表示され、遠隔ユーザーにより、加工条件強制設定操作又は加工条件再設定操作が行われたとする（Ｓ２６）。更に、遠隔ユーザーにより出力後プレビュー操作が行われたとする（Ｓ２７；ＹＥＳ）。
【０１３６】
この場合、表示制御部１３は、ステップＳ２７の出力後プレビュー操作が行われた場合に受信した出力後プレビュー実行指示に、加工条件強制設定情報が含まれているか否かを判定する（Ｓ２８）。
【０１３７】
表示制御部１３は、出力後プレビュー実行指示に加工条件強制設定情報が含まれていないと判定した場合（Ｓ２８；ＮＯ）、ステップＳ２５の再出力画像取得指示操作が行われた場合に受信した再出力画像取得指示に従って再出力画像を取得する。具体的には、表示制御部１３は、当該再出力画像取得指示が示す出力対象画像ファイル名（例えば、「Ｉｍａｇｅ１．ｂｍｐ」）と対応付けて第一記憶部２４に記憶されている出力対象画像の画像データを取得し、当該取得した画像データが表す画像を再出力画像として取得する。また、表示制御部１３は、ステップＳ２７の出力後プレビュー操作が行われた場合に受信した出力後プレビュー実行指示に含まれる第二加工条件を取得する（Ｓ２９）。
【０１３８】
一方、表示制御部１３は、出力後プレビュー実行指示に加工条件強制設定情報が含まれていると判定した場合（Ｓ２８；ＹＥＳ）、ステップＳ２９と同様に、ステップＳ２５の再出力画像取得指示操作が行われた場合に受信した再出力画像取得指示に従って再出力画像を取得する。また、表示制御部１３は、当該再出力画像取得指示が示す出力対象画像ファイル名（例えば、「Ｉｍａｇｅ１．ｂｍｐ」）と対応付けて第一記憶部２４に記憶されている第一加工条件（例えば、「濃くする、フルカラー」）を取得する（Ｓ３２）。
【０１３９】
そして、表示制御部１３は、ステップＳ２９において取得した再出力画像を、ステップＳ２９において取得した第二加工条件で加工した加工画像を第二加工画像として生成する。または、表示制御部１３は、ステップＳ３２において取得した再出力画像を、ステップＳ３２において取得した第一加工条件で加工した加工画像を第二加工画像として生成する（Ｓ３０）。
【０１４０】
そして、表示制御部１３は、ステップＳ２７の出力後プレビュー操作が行われた場合に受信した出力後プレビュー実行指示に従って、ステップＳ３０で生成した第二加工画像を表す画像データを含む出力後プレビュー表示指示を返信する（Ｓ３１）。
【０１４１】
遠隔操作装置９は、出力後プレビュー表示指示を受信すると、当該出力後プレビュー表示指示に含まれる画像データが表す第二加工画像を、画像再出力操作画面Ｗ４に重ねるようにして表示部９１に表示する。尚、遠隔操作装置９は、第二加工画像を表示部９１に表示する場合に、当該第二加工画像を非表示にするための閉じるボタンを合わせて表示する。
【０１４２】
そして、遠隔ユーザーが、表示部９１に表示された第二加工画像を視認した結果、意図した通りに再出力画像が加工されていないと判断し、当該第二加工画像と合わせて表示された閉じるボタンを押下したとする（Ｓ３３；閉じるボタン押下）。この場合、ステップＳ２６に戻り、遠隔ユーザーによって画像再出力操作画面Ｗ４を用いた加工条件強制設定操作又は加工条件再設定操作が行われる。
【０１４３】
一方、遠隔ユーザーが、表示部９１に表示された第二加工画像を視認した結果、意図した通りの再出力画像が加工されていないと判断し、キャンセルボタンＫ４３を押下してキャンセル操作を行ったとする（Ｓ３３；キャンセル操作）。この場合、遠隔操作装置９は、画像再出力操作画面Ｗ４を非表示にさせ、再出力画像選択画面Ｗ３を表示部９１に再表示させる。つまり、ステップＳ２５に戻り、遠隔ユーザーによって再出力画像選択画面Ｗ３を用いた再出力画像取得指示操作が行われる。
【０１４４】
また、遠隔ユーザーが、表示部９１に表示された第二加工画像を視認した結果、意図した通りに再出力画像が加工されていると判断し、実行ボタンＫ４２を押下して再出力実行操作を行ったとする（Ｓ３３；再出力実行操作）。又は、遠隔ユーザーが、画像再出力操作画面Ｗ４において出力後プレビュー操作を行わずに（Ｓ２７；ＮＯ）、実行ボタンＫ４２を押下して再出力実行操作を行ったとする（Ｓ３３；再出力実行操作）。
【０１４５】
これらの場合、図７に示すように、画像出力部１１は、ステップＳ２８と同様にして、ステップＳ３３の再出力実行操作が行われた場合に受信した再出力実行指示に、加工条件強制設定情報が含まれているか否かを判定する（Ｓ４１）。
【０１４６】
画像出力部１１は、再出力実行指示に加工条件強制設定情報が含まれていないと判定した場合（Ｓ４１；ＮＯ）、ステップＳ２９と同様に、ステップＳ２５の再出力画像取得指示操作が行われた場合に受信した再出力画像取得指示に従って再出力画像を取得する。また、画像出力部１１は、ステップＳ３３の再出力実行操作が行われた場合に受信した再出力実行指示に含まれる第二加工条件を取得する（Ｓ４２）。
【０１４７】
一方、画像出力部１１は、再出力実行指示に加工条件強制設定情報が含まれていると判定した場合（Ｓ４１；ＹＥＳ）、ステップＳ２９と同様に、ステップＳ２５の再出力画像取得指示操作が行われた場合に受信した再出力画像取得指示に従って再出力画像を取得する。また、画像出力部１１は、当該再出力画像取得指示が示す出力対象画像ファイル名（例えば、「Ｉｍａｇｅ１．ｂｍｐ」）と対応付けて第一記憶部２４に記憶されている第一加工条件（例えば、「濃くする、フルカラー」）を取得する（Ｓ４５）。
【０１４８】
そして、画像出力部１１は、ステップＳ４２において取得した再出力画像を、ステップＳ４２において取得した第二加工条件で加工した加工画像を第二加工画像として生成する。または、画像出力部１１は、ステップＳ４５において取得した再出力画像を、ステップＳ４５において取得した第一加工条件で加工した加工画像を第二加工画像として生成する（Ｓ４３）。
【０１４９】
そして、画像出力部１１は、第二加工画像を出力する（Ｓ４４）。
【０１５０】
具体的には、ＲＡＭに記憶されている遠隔ユーザーによりメニュー画面においてタッチ操作された機能の名称が再印刷機能であるとする。この場合、ステップＳ４４において、画像出力部１１は、ステップＳ３３の再出力実行操作が行われた場合に受信した再出力実行指示に含まれる印刷条件を取得する。そして、画像出力部１１は、画像形成部２２を制御して、当該取得した印刷条件を用いて第二加工画像を用紙に形成させる。
【０１５１】
また、ＲＡＭに記憶されている上記機能の名称が再送信機能であるとする。この場合、ステップＳ４４において、画像出力部１１は、ステップＳ３３の再出力実行操作が行われた場合に受信した再出力実行指示に含まれる送信条件を取得する。そして、画像出力部１１は、第二加工画像を表す画像データを電子ファイル化し、当該取得した送信条件によって指定された送信先へ当該電子ファイルを送信する。
【０１５２】
つまり、記憶制御部１２は、ある一の遠隔操作装置９において、複合機１に取得させた出力対象画像を当該一の遠隔操作装置９で設定された第一加工条件で加工した第一加工画像を複合機１に出力させる画像出力操作が行われた場合に（Ｓ１、Ｓ２、Ｓ７；出力実行操作）、当該出力対象画像と当該第一加工条件とを対応付けて第一記憶部２４に記憶する（Ｓ８、Ｓ１１）。
【０１５３】
また、表示制御部１３は、各遠隔操作装置９において、第一記憶部２４に記憶された出力対象画像を表示させる出力後プレビュー操作が行われた場合に（Ｓ２１〜Ｓ２６、Ｓ２７；ＹＥＳ）、当該各遠隔操作装置９で固有に設定された第二加工条件で当該出力対象画像を加工し、第二加工画像として当該各遠隔操作装９置の表示部９１に表示させる（Ｓ２８；ＮＯ、Ｓ２９〜Ｓ３１）。
【０１５４】
このため、遠隔操作装置９のユーザーは、他の一の遠隔操作装置９において設定された第一加工条件とは異なる、当該遠隔操作装置９において固有に設定された第二加工条件で加工された第二加工画像を視認することができる。これにより、遠隔操作装置９のユーザーは、自身が使用する遠隔操作装置９において意図した通りの第二加工条件を設定することにより、他の一の遠隔操作装置９のユーザーが複合機１に出力させた第一加工画像を、意図した通りに再加工して再利用することができる。
【０１５５】
このように、本実施形態の構成によれば、ある一の遠隔操作装置９が複合機１に出力させた第一加工画像を、他の遠隔操作装置９において設定された第二加工条件で再加工して、当該他の遠隔操作装置９において再利用させることができる。
【０１５６】
また、表示制御部１３は、出力対象画像を第一加工条件で加工した第一加工画像を複合機１に出力させる画像出力操作を行った遠隔操作装置９と同じグループに対応付けて第二記憶部２５に記憶されている遠隔操作装置９にのみ、第二加工画像を表示させる（Ｓ２２；ＹＥＳ、Ｓ２３、Ｓ２５、Ｓ２６、Ｓ２７；ＹＥＳ、Ｓ２８〜Ｓ３１）。
【０１５７】
このため、ある一の遠隔操作装置９によって出力された第一加工画像を再加工した第二加工画像が、当該一の遠隔操作装置９とは他のグループに所属する遠隔操作装置９や、グループに所属していない遠隔操作装置９において視認される虞を低減することができる。これにより、当該第一加工画像を視認して得られる情報が、他のグループに所属する遠隔操作装置９のユーザーや、グループに所属していない遠隔操作装置９のユーザーに漏洩する虞を低減することができる。
【０１５８】
また、表示制御部１３は、各遠隔操作装置９において加工条件強制設定操作が行われたときに出力後プレビュー操作が行われた場合、つまり、第二加工条件を用いずに再出力画像を表示させる出力後プレビュー操作が行われた場合（Ｓ２７；ＹＥＳ、Ｓ２８；ＹＥＳ）、再出力画像を、当該再出力画像と対応付けて第一記憶部２４に記憶されている第一加工条件で加工した画像を、第二加工画像として当該各遠隔操作装置９の表示部９１に表示させる（Ｓ３２、Ｓ３０、Ｓ３１）。
【０１５９】
このため、遠隔操作装置９のユーザーは、加工条件強制設定操作を行って出力後プレビュー操作を行うことにより、他の遠隔操作装置９で設定された第一加工条件と同じ加工条件を当該遠隔操作装置９において再設定する手間をかけずに、第一加工画像と同じ画像を視認することができる。
【０１６０】
また、画像出力部１１は、各遠隔操作装置９において、出力後プレビュー操作が行われた結果、表示制御部１３により表示部９１に表示された第二加工画像を複合機１に再出力させる再出力実行操作が行われた場合に（Ｓ２１〜Ｓ３２、Ｓ３３；再出力実行操作）、当該第二加工画像を出力する（Ｓ４１〜Ｓ４５）。
【０１６１】
このため、遠隔操作装置９のユーザーは、第二加工画像を視認した結果、意図した通りの加工がされていると判断した場合に再出力実行操作を行うことにより、意図した通りの加工がされた第二加工画像を複合機１に出力させることができる。
【０１６２】
尚、上記実施形態は、本発明に係る実施形態の例示に過ぎず、本発明を上記実施形態に限定する趣旨ではない。例えば、以下に示す、変形実施形態であってもよい。
【０１６３】
（１）例えば、画像再出力操作画面Ｗ４に実行ボタンＫ４２が設けられていず、遠隔操作装置９において再出力実行操作が行われなくてもよい。これに合わせて、ステップＳ４１〜Ｓ４５を省略してもよい。
【０１６４】
（２）また、画像再出力操作画面Ｗ４にラジオボタンＲ４１が設けられていず、遠隔操作装置９において加工条件強制設定操作が行われなくてもよい。これに合わせて、ステップＳ２８、ステップＳ３２、ステップＳ４１、及びステップＳ４５を省略してもよい。
【０１６５】
（３）また、表示制御部１３は、全ての遠隔操作装置９に第一記憶部２４に記憶された出力対象画像をプレビュー表示させるようにしてもよい。つまり、第二記憶部２５を備えないように簡素化してもよい。そして、メニュー画面に選択可能に表示された画像を再出力する機能の名称を示すボタンが押下された場合に（Ｓ２１）、表示制御部１３は、ステップＳ２２〜Ｓ２４に代えて、第一記憶部２４に記憶されている全ての出力対象画像ファイル名を含む選択画面表示指示を遠隔操作装置９へ返信するようにしてもよい。
【符号の説明】
【０１６６】
１  複合機（画像処理装置）
９  遠隔操作装置
１１  画像出力部
１２  記憶制御部
１３  表示制御部
２４  第一記憶部
２５  第二記憶部
９１  表示部
【図１】
2016032150.tif 000003
【図２】
2016032150.tif 000004
【図３】
2016032150.tif 000005
【図４】
2016032150.tif 000006
【図５】
2016032150.tif 000007
【図６】
2016032150.tif 000008
【図７】
2016032150.tif 000009
【図８】
2016032150.tif 000010
【図９】
2016032150.tif 000011
【図１０】
2016032150.tif 000012